【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
画像形成装置に装着されるシート給送装置であって、
給送されるべきシートが収納される第１シート収納部と、前記第１シート収納部に隣接して設けられ、前記第１シート収納部へ移送されるべきシートが収納される第２シート収納部とを有し、前記シート給送装置に装着された装着位置及び前記シート給送装置から引き出された引き出し位置に移動可能に構成されるシート収納手段と、
前記第１シート収納部に収納されたシートを給送する給送手段と、
前記第２シート収納部に収納されたシートを前記第１シート収納部に移送するために移動する移送部材と、
前記シート収納手段が前記装着位置にある状態では前記移送部材を第１位置と前記第１位置よりも前記第１シート収納部から離れた第２位置との間で移動させることができ、前記引き出し状態では前記移送部材を移動させることができない駆動手段と、
前記移送部材が前記第２位置よりも前記第１位置側にある状態で、前記シート収納手段が前記装着位置から引き出された場合に、前記移送部材を前記第２位置の方向へ移動させる移動手段と、を備える、
ことを特徴とするシート給送装置。
【請求項２】
前記移動手段は、前記駆動手段により前記移送部材が前記第２位置から前記第１位置に移動される際に、前記移送部材を前記第２位置の方向に移動させる移動力をチャージする、
ことを特徴とする請求項１に記載のシート給送装置。
【請求項３】
前記移動手段は、前記移送部材が前記第２位置から前記第１位置の方向に移動することにより移動力をチャージするバネ部材を有し、前記シート収納手段が前記装着位置から引き出された場合に、前記バネ部材により前記移送部材を前記第２位置の方向に移動させる、
ことを特徴とする請求項１又は２に記載のシート給送装置。
【請求項４】
前記移動手段は、前記第２位置から前記第１位置の方向に移動する前記移送部材を介して前記バネ部材を前記第１位置の方向に牽引するように前記バネ部材に連結された牽引部材を有し、前記シート収納手段が前記装着位置から引き出された場合に、前記牽引部材を介して前記バネ部材による前記移動力を受けて前記移送部材を前記第２位置の方向に移動させる、
ことを特徴とする請求項３に記載のシート給送装置。
【請求項５】
前記移動手段は、前記第２位置から前記第１位置の方向への前記移送部材の移動に連動して回転することで移動力をチャージするゼンマイ部材を有し、前記シート収納手段が前記装着位置から引き出された場合に、前記ゼンマイ部材により前記移送部材を前記第２位置の方向に移動させる、
ことを特徴とする請求項１に記載のシート給送装置。
【請求項６】
前記移動手段は、前記第２位置から前記第１位置の方向への前記移送部材の移動に連動して上昇することで位置エネルギーをチャージする錘部材を有し、前記シート収納手段が前記装着位置から引き出された場合に、前記錘部材の位置エネルギーにより前記移送部材を前記第２位置の方向に移動させる、
ことを特徴とする請求項１に記載のシート給送装置。
【請求項７】
前記駆動手段は、
前記移送部材を移動させる駆動力を出力する駆動源と、
前記駆動力を伝達することにより前記移送部材を移動させる伝達手段と、を有する、
ことを特徴とする請求項１乃至６のいずれか１項に記載のシート給送装置。
【請求項８】
前記伝達手段は、
前記駆動力を受ける駆動伝達カップリングと、
前記シート収納手段側に支持され、前記シート収納手段が前記装着位置に装着された際に前記駆動伝達カップリングに係合し、前記シート収納手段が前記装着位置から引き出された際に前記駆動伝達カップリングから離脱する被駆動カップリングと、を有する、
ことを特徴とする請求項７に記載のシート給送装置。
【請求項９】
前記伝達手段は、前記駆動伝達カップリングから前記被駆動カップリングに伝達された前記駆動源の駆動力で回転させられる無端状ベルトを有し、
前記移送部材は、前記無端状ベルトの回転で移動するように前記無端状ベルトに連結される、
ことを特徴とする請求項８に記載のシート給送装置。
【請求項１０】
前記第１位置は、前記移送部材が前記第２シート収納部に収納されたシートを前記第１シート収納部へ移送完了したときに位置している位置である、
ことを特徴とする請求項１乃至９のいずれか１項に記載のシート給送装置。
【請求項１１】
前記第２位置は、前記第２シート収納部に収納されたシートの移送を開始する際に位置している位置である、
ことを特徴とする請求項１乃至１０のいずれか１項に記載のシート給送装置。
【請求項１２】
前記移送部材が前記第１位置と前記第２位置との間の第３位置よりも前記第１位置側に位置している状態で、前記シート収納手段が前記装着位置から引き出された場合に、前記移動手段は前記移送部材を前記第３位置へ移動させる、
ことを特徴とする請求項１乃至１１のいずれか１項に記載のシート給送装置。
【請求項１３】
前記移送部材が前記第２位置よりも前記第１シート収納部側にある状態で、前記シート収納手段が前記装着位置から引き出された場合に、前記移動手段は前記移送部材を前記第２位置へ移動させる、
ことを特徴とする請求項１乃至１１のいずれか１項に記載のシート給送装置。
【請求項１４】
画像形成装置に装着されるシート給送装置であって、
給送されるべきシートが収納される第１シート収納部と、前記第１シート収納部に隣接して設けられ、前記第１シート収納部へ移送されるべきシートが収納される第２シート収納部とを有し、前記シート給送装置に装着された装着位置及び前記シート給送装置から引き出された引き出し位置に移動可能に構成されるシート収納手段と、
前記第１シート収納部に収納されたシートを給送する給送手段と、
前記第２シート収納部に収納されたシートの前記第１シート収納部とは反対側の端部に接触可能に設けられ、前記第２シート収納部に収納されたシートを前記第１シート収納部に移送するために移動する移送部材と、
前記シート収納手段が前記装着位置にある状態では前記第２シート収納部のシートを前記第１シート収納部に移送するように前記移送部材を移動させる駆動力を発生させる駆動モータと、
前記シート収納手段が前記引き出し位置にある場合において、前記移送部材を第１位置から、前記第１位置よりも前記第１シート収納部から遠い第２位置の方向に移動させることが可能なバネ部材と、を備える、
ことを特徴とするシート給送装置。
【請求項１５】
請求項１乃至１４のいずれか１項に記載のシート給送装置と、
前記シート給送装置により送り出されたシートに画像を形成する画像形成手段と、を備える、
ことを特徴とする画像形成装置。
【手続補正２】
【補正対象書類名】明細書
【補正対象項目名】０００６
【補正方法】変更
【補正の内容】
【０００６】
本発明は、画像形成装置に装着されるシート給送装置であって、給送されるべきシートが収納される第１シート収納部と、前記第１シート収納部に隣接して設けられ、前記第１シート収納部へ移送されるべきシートが収納される第２シート収納部とを有し、前記シート給送装置に装着された装着位置及び前記シート給送装置から引き出された引き出し位置に移動可能に構成されるシート収納手段と、前記第１シート収納部に収納されたシートを給送する給送手段と、前記第２シート収納部に収納されたシートを前記第１シート収納部に移送するために移動する移送部材と、前記シート収納手段が前記装着位置にある状態では前記移送部材を第１位置と前記第１位置よりも前記第１シート収納部から離れた第２位置との間で移動させることができ、前記引き出し状態では前記移送部材を移動させることができない駆動手段と、前記移送部材が前記第２位置よりも前記第１位置側にある状態で、前記シート収納手段が前記装着位置から引き出された場合に、前記移送部材を前記第２位置の方向へ移動させる移動手段と、を備えることを特徴とする。
また、本発明は、画像形成装置に装着されるシート給送装置であって、給送されるべきシートが収納される第１シート収納部と、前記第１シート収納部に隣接して設けられ、前記第１シート収納部へ移送されるべきシートが収納される第２シート収納部とを有し、前記シート給送装置に装着された装着位置及び前記シート給送装置から引き出された引き出し位置に移動可能に構成されるシート収納手段と、前記第１シート収納部に収納されたシートを給送する給送手段と、前記第２シート収納部に収納されたシートの前記第１シート収納部とは反対側の端部に接触可能に設けられ、前記第２シート収納部に収納されたシートを前記第１シート収納部に移送するために移動する移送部材と、前記シート収納手段が前記装着位置にある状態では前記第２シート収納部のシートを前記第１シート収納部に移送するように前記移送部材を移動させる駆動力を発生させる駆動モータと、前記シート収納手段が前記引き出し位置にある場合において、前記移送部材を第１位置から、前記第１位置よりも前記第１シート収納部から遠い第２位置の方向に移動させることが可能なバネ部材と、を備えることを特徴とする。